(57)【特許請求の範囲】
【請求項１】
複数の段差部を有する階段の一部を構成するとともに、前記階段を下から上に流れようとする水の流れを遮断する遮水装置であって、
前記階段の踏み面を構成する踏み面構成部と、
前記踏み面構成部の鉛直下方に設けられた貯水ピットと、
前記踏み面構成部よりも下方の前記階段の蹴込み面に設けられ、前記貯水ピットに前記水を導入するための導水口と、
前記貯水ピットに収容され、前記貯水ピットに導入された前記水の浮力で浮上して、前記踏み面構成部を持ち上げながら前記貯水ピットから上方に突出する遮水部材とを備え、
前記導水口は、下から２段目以上の前記段差部の前記蹴込み面に設けられている、遮水装置。
【請求項２】
前記踏み面構成部における前記水の流れの上流側の端部を下方から受ける第１受け部と、
前記階段の幅方向に間隔を隔てて設けられ、前記第１受け部を下方から支持する複数の脚部とを備え、
前記導水口は、隣り合う２つの前記脚部の間に設けられている、請求項１に記載の遮水装置。
【請求項３】
前記導水口は、前記蹴込み面を構成する蹴込み板に形成された複数の貫通孔を有している、請求項1または２に記載の遮水装置。
【請求項４】
複数の前記段差部は、地表面から建造物の開口部に向かって段階的に高くなるように形成されており、
前記貯水ピットの一部は前記建造物の外壁部で構成されている、請求項１ないし３のいずれか１項に記載の遮水装置。
【請求項５】
前記踏み面構成部における前記水の流れの下流側の端部を下方から受ける第２受け部と、
前記第２受け部を前記貯水ピットの底部に固定するための固定手段とを備える、請求項４に記載の遮水装置。
【請求項６】
前記踏み面構成部における前記水の流れの下流側の端部を下方から受ける第２受け部と、
前記第２受け部を前記外壁部に固定するための固定手段とを備える、請求項４に記載の遮水装置。
【発明の詳細な説明】
【技術分野】
【０００１】
本発明は、建造物の開口部を流れようとする水の流れを遮断するための遮水装置に関する。
【背景技術】
【０００２】
特許文献１には、高潮や津波の被害を防ぐための防潮装置が記載されている。この防潮装置は、水の流れを遮断するための遮水装置の一種であり、地盤面下に形成された地中ピットと、地中ピットに収納された浮きおよび防潮板とを備えている。高潮や津波が発生した際に地中ピットに水が流入すると、浮きおよび防潮板が水の浮力で浮上し、防潮板が地中ピットの上方の通路に突出して水の流れを遮断する。
【先行技術文献】
【特許文献】
【０００３】
【特許文献１】特開平７−１９７７５１号公報
【０００４】
特許文献１に記載された防潮装置では、地中ピットの天井壁に、水の流入口と防潮板の出入口が設けられていたので、地盤面においてこれらの設置スペースを広く確保しなければならなかった。そのため、防潮装置を階段に設置することが困難であり、階段スペースを有効活用できないという問題があった。また、流入口は、上方に向けて開かれているため、流入口から雨水等が浸入し易いという問題があった。
【発明の概要】
【０００５】
本発明は、上記問題に対処するためになされたものであり、階段スペースを有効活用して設置できるとともに、導水口からの雨水の浸入を抑制できる、遮水装置を提供することを目的とする。
【０００６】
上記目的を達成するため、本発明の特徴は、複数の段差部を有する階段の一部を構成するとともに、前記階段を下から上に流れようとする水の流れを遮断する遮水装置であって、前記階段の踏み面を構成する踏み面構成部と、前記踏み面構成部の鉛直下方に設けられた貯水ピットと、前記踏み面構成部よりも下方の前記階段の蹴込み面に設けられ、前記貯水ピットに前記水を導入するための導水口と、前記貯水ピットに収容され、前記貯水ピットに導入された前記水の浮力で浮上して、前記踏み面構成部を持ち上げながら前記貯水ピットから上方に突出する遮水部材とを備え、前記導水口は、下から２段目以上の前記段差部の前記蹴込み面に設けられていることにある。
【０００７】
この構成では、踏み面構成部の鉛直下方に貯水ピットが設けられており、踏み面構成部よりも下方の蹴込み面に導水口が設けられているので、階段のスペースを有効活用して遮水装置を設置できる。また、導水口を歩道等の地表面から上方に離して配置できるので、地表面を流れる水が導水口に浸入することを防止できるとともに、地表面に存在するゴミ等が導水口に詰まることを防止できる。さらに、導水口は、蹴込み面に設けられているので、導水口から雨水が直接浸入することを抑制できる。
【００１０】
本発明の他の特徴は、前記踏み面構成部における前記水の流れの上流側の端部を下方から受ける第１受け部と、前記階段の幅方向に間隔を隔てて設けられ、前記第１受け部を下方から支持する複数の脚部とを備え、前記導水口は、隣り合う２つの前記脚部の間に設けられていることにある。
【００１１】
この構成では、隣り合う２つの脚部の間に導水口が設けられるので、導水口の開口面積を広く確保できる。
【００１２】
本発明の他の特徴は、前記導水口は、前記蹴込み面を構成する蹴込み板に形成された複数の貫通孔を有していることにある。
【００１３】
この構成では、導水口からゴミ等が入り込むことを抑制できる。
【００１４】
本発明の他の特徴は、複数の前記段差部は、地表面から建造物の開口部に向かって段階的に高くなるように形成されており、前記貯水ピットの一部は前記建造物の外壁部で構成されていることにある。
【００１５】
この構成では、貯水ピットの一部が建造物の外壁部で構成されるので、貯水ピットの材料を節約でき、施工コストを低く抑えることができる。
【００１６】
本発明の他の特徴は、前記踏み面構成部における前記水の流れの下流側の端部を下方から受ける第２受け部と、前記第２受け部を前記貯水ピットの底部に固定するための固定手段とを備えることにある。
【００１７】
この構成では、第２受け部を貯水ピットの底部に固定できるので、外壁部の強度が不足する場合でも、第２受け部を確実に支持できる。
【００１８】
本発明の他の特徴は、前記踏み面構成部における前記水の流れの下流側の端部を下方から受ける第２受け部と、前記第２受け部を前記外壁部に固定するための固定手段とを備えることにある。
【００１９】
この構成では、第２受け部を外壁部に固定できるので、貯水ピットの底部にまで第２受け部を延ばして形成する必要がなく、第２受け部の材料を節約でき、施工コストを低く抑えることができる。
【図面の簡単な説明】
【００２０】
【図１】本発明の一実施形態に係る遮水装置の構成を示す鉛直断面図である。
【図２】遮水装置の一部の構成を示す斜視図である。
【図３】図１に示す遮水装置の主要部の構成を示す拡大断面図である。
【図４】支柱および遮水部材の構成を示す水平断面図である。
【図５】第１受け部および脚部の構成を示す分解斜視図である。
【図６】第２受け部の構成を示す斜視図である。
【図７】遮水部材が浮上したときの遮水装置の構成を示す鉛直断面図である。
【図８】他の実施形態に係る遮水装置の構成を示す鉛直断面図である。
【発明を実施するための形態】
【００２１】
以下、本発明に係る遮水装置の実施形態について図面を参照しながら説明する。
【００２２】
図１は、本発明の一実施形態に係る遮水装置１０の構成を示す鉛直断面図である。図１に示すように、遮水装置１０は、階段１２の一部を構成するとともに、階段１２を下から上に流れようとする水の流れを遮断するものである。大雨、洪水および津波等の際に、地表面Ｇに溢れ出た水の水位が上昇すると、その水は、階段１２を下から上に流れて（すなわち階段１２に沿って増水して）建造物１４の開口部１６に向かおうとする。遮水装置１０は、開口部１６に向かおうとする水の流れを階段１２の途中で遮断できるように構成されている。
【００２３】
図２は、遮水装置１０の一部の構成を示す斜視図である。以下の説明で用いる方向の概念は、図２に示す矢印の方向を基準とする。つまり、階段１２における水の流れの上流側を「前」、階段１２における水の流れの下流側を「後」、前側から見て左側を「左」、前側から見て右側を「右」とする。階段１２および遮水装置１０は、左右対称に構成されているため、以下では、これらの構成を右側の部分に着目して説明する。
【００２４】
図１に示す建造物１４は、鉄筋コンクリートからなるビルであり、外壁部１８とスラブ２０とを有している。外壁部１８の少なくとも一部は、地表面Ｇよりも下方に配置されており、外壁部１８の表面１８ａは、水平面に対して直交する平坦面に形成されている。なお、建造物１４は、ビルに限定されるものではなく、マンションや倉庫等であってもよい。
【００２５】
図１に示すように、階段１２は、地表面Ｇから建造物１４の開口部１６に向かって段階的に高くなる複数（本実施形態では４段）の段差部２４ａ〜２４ｄを有している。各段差部２４ａ〜２４ｄは、踏み面２６と、踏み面２６よりも下方に設けられた蹴込み面２８とを有している。本実施形態では、下から１段目の段差部２４ａ、２段目の段差部２４ｂおよび４段目の段差部２４ｄがコンクリートで形成されており、下から３段目（上から２段目）の段差部２４ｃが遮水装置１０で構成されている。階段１２の幅方向両端部（左右方向両端部）には、コンクリートからなる壁部３０が、建造物１４と水密的に連続するように設けられている。なお、遮水装置１０で構成される段差部は、下から３段目（上から２段目）の段差部２４ｃに限定されるものではなく、１段目の段差部２４ａ、２段目の段差部２４ｂおよび４段目の段差部２４ｄのいずれであってもよい。
【００２６】
図１に示すように、遮水装置１０は、踏み面構成部３４と、遮水部材３６と、貯水ピット３８と、遮水装置１０の幅方向両端部（左右方向両端部）を水の流れの下流側から受ける左右一対の支柱４０とを有している。
【００２７】
図１に示す踏み面構成部３４は、階段１２の踏み面２６を構成する部分であり、ステンレス等によって平面視で左右方向に延びる長方形の板状に形成されている。本実施形態では、下から３段目（上から２段目）の踏み面２６が、踏み面構成部３４で構成されており、踏み面構成部３４の下面には、遮水部材３６が接続されている。
【００２８】
図３は、図１に示す遮水装置１０の主要部の構成を示す拡大断面図である。図４は、支柱４０および遮水部材３６の構成を示す水平断面図である。図３に示す遮水部材３６は、貯水ピット３８に収容され、貯水ピット３８に導入された水の浮力で浮上して、踏み面構成部３４を持ち上げながら貯水ピット３８から上方に突出するように構成されている。以下には、遮水部材３６の構成をより具体的に説明する。
【００２９】
図３に示すように、遮水部材３６は、ステンレス、アルミニウム合金、繊維強化プラスチック等のような高強度の材料で形成された筐体状の本体部４２を有しており、本体部４２の内部空間には、浮力および強度を得るために発泡樹脂４４が充填されている。遮水部材３６の高さ（上下方向長さ）は、遮水部材３６が水の浮力で浮上したときに、遮水部材３６の上端が最高水位よりも上方に位置するように定められている。遮水部材３６の幅（左右方向長さ）は、踏み面構成部３４の幅（左右方向長さ）よりも大きくされている。踏み面構成部３４の下面に遮水部材３６が接続された状態において、踏み面構成部３４の前後方向両端部は、遮水部材３６から前後方向に突出し、かつ、踏み面構成部３４の左右方向両端部は、遮水部材３６から左右方向に突出する。
【００３０】
図１に示すように、遮水部材３６の前面３６ａにおける左右方向両端部には、前面３６ａと貯水ピット３８の内面との間に隙間を確保するための複数（本実施形態では２つ）のスペーサー部材４６が上下方向に間隔を隔てて設けられている。遮水部材３６の後面３６ｂにおける左右方向両端部には、後面３６ｂと貯水ピット３８の内面との間に隙間を確保するための複数（本実施形態では２つ）のスペーサー部材４８が上下方向に間隔を隔てて設けられている。
【００３１】
図３および図４に示すように、スペーサー部材４６および４８は、左右方向に延びる半円柱状に形成されており、これらの平坦面が前面３６ａおよび後面３６ｂに接触した状態で遮水部材３６に取り付けられている。スペーサー部材４６および４８の材質は、特に限定されるものではないが、本実施形態では、ゴム等のような緩衝性を有する材料が用いられている。図１に示すように、遮水部材３６の前面３６ａにおける左右方向両端部の下部には、突起部５０が設けられており、突起部５０には、上方に向かうにつれて前面３６ａからの高さが低くなる（水平方向距離が短くなる）傾斜面５０ａが形成されている。突起部５０の最高部の高さは、スペーサー部材４６の最高部の高さよりも低くされている。
【００３２】
図３に示すように、貯水ピット３８は、通常時に遮水部材３６を収容するとともに、大雨、洪水および津波等の発生時に、地表面Ｇ（図１）に溢れ出た水を貯留する部分であり、踏み面構成部３４の鉛直下方に設けられている。貯水ピット３８の後壁部５２は、建造物１４（図１）の外壁部１８で構成されており、貯水ピット３８の前壁部５４および左右の側壁部５６は、階段１２と一体となるようにコンクリートで形成されている。また、図１に示すように、貯水ピット３８の底部５８は、前壁部５４と一体となるようにコンクリートで形成されており、底部５８には、鉛直方向に延びるアンカーボルト６０の下端部が埋め込まれて固定されている。さらに、前壁部５４には、貯水ピット３８に貯留された水を排出するための排水管６２が設けられており、排水管６２の上流側端部が貯水ピット３８に接続されている。
【００３３】
図１に示すように、支柱４０は、遮水部材３６の左右方向端部（幅方向端部）を支持する溝状部材である。建造物１４と連続する壁部３０には、鉛直方向に延びる凹部３０ａが形成されており、支柱４０は、凹部３０ａの内面にボルト等の固定手段（図示省略）で固定されている。以下には、支柱４０の構成をより具体的に説明する。
【００３４】
図４に示すように、支柱４０は、遮水部材３６の前面３６ａに対向するように配置された前壁部４０ａと、遮水部材３６の後面３６ｂに対向するように配置された後壁部４０ｂと、遮水部材３６の左右方向端面（幅方向端面）３６ｃに対向するように配置された側壁部４０ｃとを有している。支柱４０における階段１２（図１）の中央側の端部には、開口部６４が設けられている。遮水部材３６の左右方向端部（幅方向端部）は、開口部６４から支柱４０の内側空間Ｓ１に挿入されている。支柱４０の後壁部４０ｂには、遮水部材３６に設けられたスペーサー部材４８を収容するための複数（本実施形態では２つ）の凹部６６が、上下方向に間隔を隔てて形成されている。後壁部４０ｂにおける凹部６６よりも開口部６４側の部分には、鉛直方向に延びる線状の第１止水部材６８が、複数のボルト７０を用いて固定されている。
【００３５】
図３に示すように、支柱４０の前壁部４０ａにおける踏み面２６よりも下方に位置する部分には、遮水部材３６に形成された突起部５０の傾斜面５０ａ（図１）を後方に押すための押圧部７２が設けられている。押圧部７２は、左右方向に延びる円筒状の当接部７２ａと、当接部７２ａに対して垂直に設けられた雄ねじ部７２ｂとを有している。図４に示すように、雄ねじ部７２ｂには、第１ナット７４ａが螺合されており、雄ねじ部７２ｂにおける第１ナット７４ａよりも先端側の部分が、前壁部４０ａに形成された貫通孔４１に挿通されて、第２ナット７４ｂに螺合されている。
【００３６】
また、図３に示すように、遮水装置１０は、踏み面構成部３４における水の流れの上流側の端部（前端部）３４ａを下方から受ける第１受け部８０と、第１受け部８０を下方から支持する複数の脚部８２と、貯水ピット３８に水を導入するための導水口８４とを備えている。
【００３７】
図５は、第１受け部８０および脚部８２の構成を示す分解斜視図である。図５に示す第１受け部８０は、一般にチャンネルと称される溝形鋼であり、その開口部８６を下方に向けて左右方向に延びて設けられている。第１受け部８０は、前後方向において互いに対向する前壁部８０ａおよび後壁部８０ｂと、これらの上端縁どうしを連結する上壁部８０ｃとを有している。上壁部８０ｃの上面の後端部には、ゴム等の弾性材料からなる帯状の第１緩衝材８８が左右方向に延びて設けられている。上壁部８０ｃの上面の前端部には、溝形鋼からなる段差解消部材９０が、その開口部９２を下方に向けて左右方向に延びて設けられている。図３に示すように、通常時には、踏み面構成部３４の前端部３４ａが第１緩衝材８８に載置されている。段差解消部材９０の高さ（上下方向長さ）は、その上面と第１緩衝材８８に載置された踏み面構成部３４の上面とが面一になるように定められている。
【００３８】
図５に示すように、複数（図５では１つだけを示している。）の脚部８２は、第１受け部８０と同種の溝形鋼で形成されており、階段１２の幅方向（左右方向）に間隔を隔てて設けられている。脚部８２は、前後方向において互いに対向する前壁部８２ａおよび後壁部８２ｂと、これらの右端縁（または左端縁）どうしを連結する側壁部８２ｃとを有している。前壁部８２ａおよび後壁部８２ｂの上端部は、第１受け部８０における前壁部８０ａおよび後壁部８０ｂの高さ（上下方向長さ）分だけ切除されている。側壁部８２ｃの下端部には、水を通過させるための半円状の切欠き部９６が形成されている。図３に示すように、側壁部８２ｃの上端部は、開口部８６から第１受け部８０の内側空間Ｓ２に挿入されており、側壁部８２ｃと第１受け部８０とが溶接等によって接合されている。なお、図５に示す切欠き部９６の形状は、半円状に限定されるものではなく、三角状、四角状およびスリット状等であってもよい。
【００３９】
図２に示すように、階段１２の２段目の段差部２４ｂにおける踏み面２６よりも後方には、踏み面２６から一段低くなるように段差部９８が形成されている。図３に示すように、側壁部８２ｃの下端部は、段差部９８の上面に載置されて、段差部９８または段差部２４ｂにボルト等の固定手段（図示省略）で固定されている。脚部８２の前面には、複数の貫通孔１００ａを有する蹴込み板１００が設けられており、蹴込み板１００で蹴込み面２８が構成されている。
【００４０】
図３に示す導水口８４は、貯水ピット３８に水を導入するための開口部であり、踏み面構成部３４よりも下方の階段１２の蹴込み面２８における互いに隣り合う２つの脚部８２間に設けられている。本実施形態の導水口８４は、蹴込み板１００に形成された複数の貫通孔１００ａを有しており、導水口８４と貯水ピット３８とが、導水口８４の下流側に設けられた導水路１０２を介して連通されている。なお、導水口８４が地表面Ｇ（図１）に近接していると、地表面Ｇに存在するゴミ等が導水口８４に詰まり易いため、導水口８４は、下から２段目以上の段差部の蹴込み面２８に設けられることが望ましい。
【００４１】
また、図１に示すように、遮水装置１０は、踏み面構成部３４における水の流れの下流側の端部（後端部）３４ｂを下方から受ける第２受け部１０４と、第２受け部１０４を貯水ピット３８の底部５８に固定するための固定手段１０６とを備えている。
【００４２】
図２に示すように、第２受け部１０４は、外壁部１８の表面１８ａに沿って水平方向に延びて設けられた上側水平部１０８および下側水平部１１０と、外壁部１８の表面１８ａに沿って鉛直方向に延びて設けられた複数の鉛直部１１２とを有している。上側水平部１０８、下側水平部１１０および複数の鉛直部１１２は、一般にチャンネルと称される溝形鋼で形成されている。
【００４３】
図６は、第２受け部１０４の構成を示す斜視図である。図６に示すように、上側水平部１０８は、上下方向において互いに対向する上壁部１０８ａおよび下壁部１０８ｂと、これらの前端縁どうしを連結する前壁部１０８ｃとを有している。下側水平部１１０は、上下方向において互いに対向する上壁部１１０ａおよび下壁部１１０ｂと、これらの前端縁どうしを連結する前壁部１１０ｃとを有している。上壁部１１０ａおよび下壁部１１０ｂには、アンカーボルト６０が挿通される貫通孔１１４ａおよび１１４ｂが形成されている。鉛直部１１２は、左右方向において互いに対向する右壁部１１２ａおよび左壁部１１２ｂと、これらの後端縁どうしを連結する後壁部１１２ｃとを有している。鉛直部１１２の上端部と上側水平部１０８とが溶接等によって接合されており、鉛直部１１２の下端部と下側水平部１１０とが溶接等によって接合されている。
【００４４】
図６に示すように、固定手段１０６は、第２受け部１０４を貯水ピット３８の底部５８に固定するものであり、アンカーボルト６０と、アンカーボルト６０に螺合されるナット１１６とを有している。第２受け部１０４を底部５８に固定する際には、下側水平部１１０が底部５８に載置されるとともに、下側水平部１１０の貫通孔１１４ａ，１１４ｂにアンカーボルト６０が挿通される。そして、上側の貫通孔１１４ａから上方に突出したアンカーボルト６０にナット１１６が螺合される。
【００４５】
図６に示すように、複数の鉛直部１１２のそれぞれには、貫通孔（図示省略）が形成されており、第２受け部１０４は、この貫通孔に挿通されたボルト１１８で外壁部１８に固定されている。
【００４６】
図３に示すように、上側水平部１０８における上壁部１０８ａの上面には、ゴム等の弾性材料からなる帯状の第２緩衝材１２０が左右方向に延びて設けられている。通常時には、踏み面構成部３４の後端部３４ｂが第２緩衝材１２０に載置されている。第２緩衝材１２０の高さ（上下方向長さ）は、その上面と第１緩衝材８８の上面とが同じ高さになるように定められている。
【００４７】
図６に示すように、上側水平部１０８における前壁部１０８ｃの前面には、左右方向に延びる線状の第２止水部材１２２が、複数のボルト１２４を用いて固定されている。図２に示すように、本実施形態では、第２止水部材１２２と第１止水部材６８が切れ目無く連続して形成されており、全体として、Ｕ字状の止水部材１２６が構成されている。
【００４８】
以下には、遮水装置１０の動作について説明する。図３に示すように、通常時には、遮水部材３６が貯水ピット３８に完全に収容されるとともに、踏み面構成部３４が第１緩衝材８８および第２緩衝材１２０に載置されている。これにより、階段１２の下から３段目（上から２段目）の段差部２４ｃの踏み面２６が構成されている。第１緩衝材８８および第２緩衝材１２０は、ゴム等の弾性材料で形成されているので、踏み面構成部３４の「がたつき」や「位置ずれ」は生じ難い。
【００４９】
大雨、洪水および津波等が発生したとき、地表面Ｇ（図１）に溢れ出た水の水位が、下から２段目の段差部２４ｂの踏み面２６に到達すると、その水は、導水口８４から導水路１０２を通して貯水ピット３８に流入する。貯水ピット３８に流入した水の水位が上昇すると、その水の浮力で遮水部材３６が浮上し、踏み面構成部３４を持ち上げながら貯水ピット３８から上方に突出する。
【００５０】
図７に示すように、遮水部材３６が最高位置に到達すると、突起部５０の傾斜面５０ａが押圧部７２の当接部７２ａに当接し、遮水部材３６が後方に向けて押圧される。これにより、遮水部材３６に設けられたスペーサー部材４８が支柱４０に設けられた凹部６６に収容され、遮水部材３６の後面３６ｂが第１止水部材６８および第２止水部材１２２に押し当てられる。この状態において、階段１２を下から上に流れようとする水Ｗの流れが遮断される。地表面に溢れた水Ｗが引くと、貯水ピット３８に貯留された水Ｗが排水管６２から外部に排出され、貯水ピット３８の内部の水位が徐々に低くなる。これに伴って、遮水部材３６が徐々に降下し、貯水ピット３８に完全に収容される。
【００５１】
本実施形態によれば、上記構成により以下の各効果を奏することができる。すなわち、図３に示すように、踏み面構成部３４の鉛直下方に貯水ピット３８が設けられており、踏み面構成部３４よりも下方の蹴込み面２８に導水口８４が設けられているので、階段１２のスペースを有効活用して遮水装置１０を設置できる。また、導水口８４は、蹴込み面２８に設けられているので、導水口８４から雨水が浸入することを抑制できる。
【００５２】
図３に示すように、導水口８４は、下から２段目以上の段差部２４ｃの蹴込み面２８に設けられているので、導水口８４を歩道等の地表面Ｇから上方に離して配置できる。したがって、地表面Ｇを流れる水が導水口８４に浸入することを防止できるとともに、地表面Ｇに存在するゴミ等が導水口８４に詰まることを防止できる。また、隣り合う２つの脚部８２の間に導水口８４が設けられているので、導水口８４の開口面積を広く確保できる。
【００５３】
図５に示すように、導水口８４は、蹴込み面２８を構成する蹴込み板１００に形成された複数の貫通孔１００ａを有しているので、導水口８４からゴミ等が入り込むことを抑制できる。
【００５４】
図１に示すように、貯水ピット３８の一部は建造物１４の外壁部１８で構成されているので、貯水ピット３８の材料を節約でき、施工コストを低く抑えることができる。また、第２受け部１０４を貯水ピット３８の底部５８に固定できるので、外壁部１８の強度が不足する場合でも、第２受け部１０４を確実に支持できる。
【００５５】
なお、本発明の実施にあたっては、上記実施形態に限定されず、本発明の目的を逸脱しない限りにおいて種々の変更が可能である。図８は、他の実施形態に係る遮水装置１３０の構成を示す鉛直断面図である。上述の実施形態では、第２受け部１０４を貯水ピット３８の底部５８に固定しているが、図８に示す遮水装置１３０のように、第２受け部１３２を外壁部１８に固定してもよい。
【００５６】
図８に示す遮水装置１３０は、踏み面構成部３４における水の流れの下流側の端部３４ｂを下方から受ける第２受け部１３２と、第２受け部１３２を外壁部１８に固定するための固定手段１３４とを備えている。第２受け部１３２は、上述の実施形態の第２受け部１０４（図６）と同様に、外壁部１８の表面１８ａに沿って水平方向に延びて設けられた上側水平部１３６および下側水平部１３８と、外壁部１８の表面１８ａに沿って鉛直方向に延びて設けられた複数の鉛直部１４０とを有している。下側水平部１３８（または鉛直部１４０）には、複数の貫通孔１４２が形成されている。固定手段１３４は、その一方端部が外壁部１８に埋め込まれて固定されたアンカーボルト１４４と、アンカーボルト１４４に螺合されるナット１４６とを有している。第２受け部１３２を外壁部１８に固定する際には、下側水平部１３８（または鉛直部１４０）の貫通孔１４２にアンカーボルト１４４が挿通され、このアンカーボルト１４４にナット１４６が螺合される。
【００５７】
この構成によれば、第２受け部１３２を外壁部１８に固定できるので、第２受け部１３２を貯水ピット３８の底部５８にまで延ばして形成する必要がなく、第２受け部１３２の材料を節約して、施工コストを低く抑えることができる。
【符号の説明】
【００５８】
１０…遮水装置、１２…階段、１４…建造物、２４ａ〜２４ｄ…段差部、２６…踏み面、２８…蹴込み面、３４…踏み面構成部、３６…遮水部材、３８…貯水ピット、８４…導水口
【図１】
0006318384.tif 000002
【図２】
0006318384.tif 000003
【図３】
0006318384.tif 000004
【図４】
0006318384.tif 000005
【図５】
0006318384.tif 000006
【図６】
0006318384.tif 000007
【図７】
0006318384.tif 000008
【図８】
0006318384.tif 000009